(57)【要約】
　【課題】傘の自動ロック式下ろくろに係り、傘の中棒に孔を開けてろくろを設けるプッシュ式開閉方法の複雑な構造と操作を改良する。
【解決手段】傘の中棒１０の上段へ弾性フック２０を設け、ろくろ３０の上端に傘骨を連結して中棒をスライドする。該ろくろの外径へ外筒４０を嵌合して、その内壁の上端に外へ向かって傾斜する挿入溝３２、狭溝３３１を設け、更に挿入孔３３を設けて、外筒の内壁の上部に設けた傾斜凸部４３下の凹部４２を該挿入溝に対応させる。
　ろくろと外筒の嵌合により傾斜凸部を挿入孔の上部の狭溝へ嵌合し、外筒を上に推すとろくろは上に推しあがり、弾性フックはろくろの挿入孔に掛合して傘を開いて固定し、また、外筒を下へ引くと傾斜凸部により弾性フックは内側へ向かって推されるので挿入溝から推しだされて傘を閉じる状態となって操作しやすい。
【選択図】図１
0003100576.tif 000002
【実用新案登録請求の範囲】
【請求項１】
　各傘骨を連結している下ろくろの上端に設けるろくろは傘の中棒をスライドし、
　該下ろくろの上端のろくろは各傘骨と連結しており、
　傘の中棒上段に弾性フックを設け、ろくろを有する下ろくろの外周に外筒を嵌合し、下ろくろの内壁に挿入溝を設け、該挿入溝の下端と下ろくろの中段に有する弾性フックと掛合する挿入孔に連続する狭溝を上端に形成し、外筒の内壁に下ろくろの挿入孔に対応する凹部を設け、凹部上端に傾斜凸部を設けて挿入孔の上部にある狭溝内へ嵌合し、外筒を推すことにより下ろくろが上へ移動し、又は下へ引くことにより下ろくろが下へ移動し、それにより下ろくろの挿入孔に弾性フックが掛合され、又ははずれて傘の開閉が容易に操作できることを特徴とする自動ロック式の下ろくろ。
【請求項２】
　前記下ろくろの外壁の下端に2つの相対する下弾性部を設け、該下弾性部の外側端へ小突起を設け、
　外筒へ突出環を設け、且つ該突出環の内壁下側に対応する下ろくろの下弾性部小突起に対応する位置に凹型溝を設け、下ろくろ下端から下弾性部の内側に圧力がかかって外筒と嵌合し、下弾性部の小突起は凹型溝内の範囲で上下にスライドすることを特徴とする請求項１記載の自動ロック式の下ろくろ。
【請求項３】
　前記弾性フックの下端にフック前端部を設け、外側へ向かって突出する三角形を呈していることを特徴とする請求項１、２記載の自動ロック式の下ろくろ。
【考案の詳細な説明】
【技術分野】
【０００１】
　本考案は傘の開閉が容易で、中棒の強度を維持する傘の下ろくろに関するものである。
【背景技術】
【０００２】
　公知の傘のほとんどは中棒へ孔を開け、ろくろへ弾性部を設け、開閉ボタンを押すとろくろの弾性部が傘を開閉する。この公知のろくろの構造には３つの欠点がある。
　その一、ろくろを設ける中棒へ孔を開ける必要があり、中棒の強度が弱くなり、またボタンの弾性部が中棒を傷つけてしまう。
　その二、傘を開く（又は閉じる）時、使用者は上はじきを適正な時間で離す（押す）必要があり、これはこのような傘を使用した経験のない使用者にとても不便である。
　その三、傘を開く又は閉じるとき使用者は上はじきを確認する必要があり、傘の柄を使用者の左側または後方へ向けしっかりと握らなくてはいけない、しかし、傘の柄は中棒へネジにより設けられており、このようなネジによる連接は制御することは難しく、不便である。
【考案の開示】
【考案が解決しようとする課題】
【０００３】
　上記公知の傘のろくろの構造を解決する為に自動ロック式ろくろを提供することを課題とする。
　それは、ろくろを上へ向かって、又は下へ向かってろくろを推す必要があるとき、簡単に傘を開閉できるものであり、使用者の便利を図るものである。また、もう一つの目的として、ろくろを配合するために傘の中棒に孔を開ける必要が無いため、傘の中棒は強度を維持し、容易に湾曲、変形することが無い耐久性をも具える。
【課題を解決するための手段】
【０００４】
　　傘の中棒の上段へ弾性フックを設け、下ろくろの上端にあるろくろに各傘骨を連結して中棒をスライドするものである。該下ろくろの外径へ外筒を嵌合して、その内壁の上端に外へ向かって傾斜している挿入溝を設け、更に挿入孔を設け、外筒の内壁の上部へ設ける傾斜凸部の下にある凹部は下ろくろの挿入溝に対応する。
　下ろくろと外筒の嵌合は傾斜凸部を挿入孔の上部の狭溝へ嵌合して外筒を上へ向かって推すと下ろくろは上へ推しあがり、弾性フックは下ろくろの挿入孔に掛合して傘を開いて固定し、又は外筒を下へ引くと傾斜凸部により弾性フックは内側へ向かって推されるので挿入溝から推しだされて傘を閉じる状態となる非常に使用し易い操作構造である。
【考案の効果】
【０００５】
　傘の中棒に取り付ける下ろくろにより容易に傘が開閉でき、また傘の強度を維持し、耐久性に優れ、使用者の便意を図ったものである。
【考案を実施するための最良の形態】
【０００６】
　図１に示すように、主に傘の中棒１０へ弾性フック２０を設け、及び下ろくろ３０へ外筒４０を設け、組合せて一体に形成する。
　傘の中棒１０は、空洞の金属棒である該傘の中棒１０と下ろくろ３０を組合せ、該中棒１０の上部へリング２２に対応する止めびょう１１を設ける。
　弾性フック２０は、該弾性フック２０の下端に三角形のフック前端部２１を設けており、該弾性フック２０はフック前端部２１と一体を形成し、該弾性フック２０の上端へリング２２を設け、該リング２２の内壁へ凹型孔２３を設ける。
　下ろくろ３０は、該下ろくろ３０の上端へろくろ３１を設け、該ろくろ３１の内壁の上端に外側へ向かって傾斜する傾斜面３２１を有する挿入溝３２を設け、該挿入溝３２の中段部へ弾性フック２０が掛かるように挿入孔３３を設け、その上へ向かって狭溝３３１が形成され、且つ下ろくろ３０の下端外壁は下弾性部３４を設け、該下弾性部３４の下端には外側に突出する２つの小突起３４１を設ける。
　外筒４０は、該外筒４０の下端へ突出環４１を設け、該突出環４１の内壁に下ろくろ３０の挿入孔３３に対応する凹部４２を設け、該外筒の上端に傾斜凸部４３を設け、且つ該外筒４０の内壁の下端に凹型溝４４を設ける。
【０００７】
　図２に示すように、該弾性フック２０の上端にあるリング２２が傘の中棒１０の上段に結合され、該リング２２の内壁に設ける凹型孔２３は傘の中棒１０に設ける止めびょう１１と嵌合する。
　該下ろくろ３０の上端のろくろ３１は各傘骨５０と連結しており、傘の中棒１０をスライドする。下ろくろ３０は、外筒４０と嵌合してその下端の下弾性部３４は内側に向かって圧力がかかった状態にある（図2の矢印の先に示す図）。外筒内壁の凹部４２は下ろくろ３０の挿入孔３３に対応し、傾斜凸部４３は狭溝３３１へ嵌合し、且つ図２の矢印の先に示す図に示すように、下ろくろ３０の下弾性部３４の小突起３４１は凹型溝４４の内側を上下にスライドする組合わせとなる。即ち図３に示すような組合わせとなる。
【０００８】
　図２の矢印の先に示す図のように、各傘骨５０は外筒４０により下ろくろ３０を上へ押し上げて傘を開き、弾性フック２０のフック前端部２１は挿入溝３２の上端の外側にある傾斜導入面３２１を経て下ろくろ３０の中段にある挿入孔３３へ挿入され、該下ろくろ３０は傘の中棒１０の上段で図4に示すように各傘骨５０が傘を開いた状態に固定される。
【０００９】
　図５に示すように、傘を閉じるときは、外筒４０を下へ引くだけでよく、その内壁の傾斜凸部４３下側の弧状面は弾性フック２０の下端のフック前端２１を内側へ向かって推し出し下ろくろ３０の挿入孔３３と接触する。即ち図５の矢印の先に示す図に示すように傘を閉じる操作となる。
【図面の簡単な説明】
【００１０】
【図１】本考案の立体分解図である。
【図２】本考案の組み立て後の断面図である。
【図３】本考案の組み立て後の立体図である。
【図４】傘を開く状態における本考案の断面図である。
【図５】傘を閉じる操作における本考案の断面図である。
【符号の説明】
【００１１】
１０　　　　　　　　中棒
１１　　　　　　　　止めびょう
２０　　　　　　　　弾性フック
２１　　　　　　　　フック前端部
２２              リング
２３              凹型孔
３０　　　　　　　　ろくろ
３１　　　　　　　　巣体
３２　　　　　　　　挿入溝
３２１　　　　　　　傾斜導入面
３３　　　　　　　　挿入孔
３３１　　　　　　　狭溝
３４　　　　　　　　下弾性部
３４１　　　　　　　小突起
４０　　　　　　　　外筒
４１　　　　　　　　突出環
４２　　　　　　　　凹部
４３　　　　　　　　傾斜凸部
４４　　　　　　　　凹型溝
５０　　　　　　　　傘骨
【図１】
0003100576.tif 000003
【図２】
0003100576.tif 000004
【図３】
0003100576.tif 000005
【図４】
0003100576.tif 000006
【図５】
0003100576.tif 000007